【手続補正書】
【提出日】平成24年2月27日(2012.2.27)
【手続補正１】
【補正対象書類名】特許請求の範囲
【補正対象項目名】全文
【補正方法】変更
【補正の内容】
【特許請求の範囲】
【請求項１】
外周面に複数種類の図柄が配列された、第１リール、第２リール、および第３リールと、
前記第１リール、前記第２リール、および前記第３リールの外周面の一部を表示する表示窓と、
前記表示窓を通じて視認される各リールの表示位置を組み合わせた入賞判定ラインを遊技毎に設定する入賞判定ライン設定手段と、
第１の小役、第２の小役、および第３の小役を含む複数種類の役の当否を決定する内部抽選を行う内部抽選手段と、
前記第１リール、前記第２リール、および前記第３リールを遊技毎に回転させるとともに、停止操作を契機として、前記内部抽選の結果に応じた態様で各リールの表示位置に図柄が表示されるように各リールを停止させる制御を行うリール制御手段と、
前記第１リール、前記第２リール、および前記第３リールの全てが停止した状態で、前記入賞判定ラインに表示されている図柄組合せに基づいて、役が入賞したか否かを判定し、役毎に予め定められた入賞形態を示す図柄組合せが、入賞判定ラインに表示されたことに基づいて、役が入賞したと判定する入賞判定手段と、
前記第１の小役、前記第２の小役、および前記第３の小役の少なくとも１つが入賞したことに基づいて、入賞した小役の配当と当該小役が入賞した入賞判定ラインの数に応じた遊技媒体を払出装置に払い出させる制御を行う払出制御手段とを備えた遊技機であって、
前記第１リールの外周面には、第１図柄、第２図柄、および第３図柄が配列されており、
前記第１図柄および前記第２図柄は、前記第１リールの停止操作のタイミングに関わらずに、いずれか一方の図柄を入賞判定ライン上の表示位置に表示させることができるように前記第１リールの外周面に配列されており、
前記第２リールの外周面には、第４図柄が配列されており、
前記第４図柄は、前記第２リールの停止操作のタイミングに関わらずに、入賞判定ライン上の表示位置に表示させることができるように前記第２リールの外周面に配列されており、
前記第１の小役の入賞形態を示す図柄組合せは、前記第１図柄を第１リールの表示図柄として含み、前記第１リールの入賞判定ライン上の表示位置に表示されている図柄に基づいて、前記第２リールおよび前記第３リールの入賞判定ライン上の表示位置に表示されている図柄に関わらず入賞が確定するように設定されており、
前記第２の小役の入賞形態を示す図柄組合せは、前記第２図柄を第１リールの表示図柄として含むとともに前記第４図柄を第２リールの表示図柄として含み、前記第１リールおよび前記第２リールの入賞判定ライン上の表示位置に表示されている図柄に基づいて、前記第３リールの入賞判定ライン上の表示位置に表示されている図柄に関わらず入賞が確定するように設定されており、
前記第３の小役の入賞形態を示す図柄組合せは、前記第３図柄を第１リールの表示図柄として含み、前記第１リール、前記第２リール、および前記第３リールの入賞判定ライン上の表示位置に表示されている図柄に基づいて入賞が確定するように設定されており、
前記入賞判定ライン設定手段が、
前記入賞判定ラインとして、第１リールの表示位置および第２リールの表示位置が互いに共通するとともに第３リールの表示位置が互いに異なる複数の第１入賞判定ラインと、複数の第１入賞判定ラインのいずれとも第１リールの表示位置が異なる１又は複数の第２入賞判定ラインとを設定し、
前記内部抽選手段が、
前記第１の小役、前記第２の小役、および前記第３の小役が重複して当選する場合と、前記第１の小役および前記第２の小役が重複して当選する場合とがあるように内部抽選を行い、
前記リール制御手段が、
前記第１の小役、前記第２の小役、および前記第３の小役が重複して当選した遊技では、各リールの停止操作が、特定の操作順序で行われる場合に、前記第１の小役あるいは前記第２の小役が複数の第１入賞判定ラインにおいて重複して入賞するように各リールを停止させ、各リールの停止操作が、前記特定の操作順序とは異なる操作順序で行われる場合に、前記第１の小役、前記第２の小役、あるいは前記第３の小役が第２入賞判定ラインの１つにおいて単独で入賞するように各リールを停止させ、
前記第１の小役および前記第２の小役が重複して当選した遊技では、各リールの停止操作が、前記特定の操作順序で行われる場合に、前記第１の小役あるいは前記第２の小役が第２入賞判定ラインの１つにおいて単独で入賞するように各リールを停止させ、各リールの停止操作が、前記特定の操作順序とは異なる操作順序で行われる場合に、前記第１の小役あるいは前記第２の小役が複数の第１入賞判定ラインにおいて重複して入賞するように各リールを停止させることを特徴とする遊技機。
【請求項２】
請求項１において、
前記第１リール、前記第２リール、および前記第３リールに関する停止操作の順序を報知する演出を所定条件下で演出装置に実行させる演出制御手段をさらに備えることを特徴とする遊技機。
【請求項３】
請求項１または２において、
複数種類の遊技状態の間で遊技状態を移行させる遊技状態移行制御手段をさらに備え、
前記入賞判定ライン設定手段が、
遊技状態に応じて前記入賞判定ラインを変動させ、前記複数種類の遊技状態のうち、特定の遊技状態における前記入賞判定ラインとして、前記複数の第１入賞判定ラインと、前記１又は複数の第２入賞判定ラインとを設定することを特徴とする遊技機。
【請求項４】
外周面に複数種類の図柄が配列された複数のリールと、
小役を含む複数種類の役の当否を決定する内部抽選を行う内部抽選手段と、
前記複数のリールを遊技毎に回転させるとともに、停止操作を契機として、前記内部抽選の結果に応じた態様で回転中のリールを停止させる制御を行うリール制御手段と、
前記複数のリールが停止した状態で、役毎に予め定められた入賞形態を示す図柄組合せが、入賞判定ラインに表示されたことに基づいて、役が入賞したと判定する入賞判定手段と、
前記小役が入賞したことに基づいて、入賞した小役の配当と当該小役が入賞した入賞判定ラインの数に応じて遊技媒体の払出数を決定する払出制御手段とを備えた遊技機であって、
前記小役として特定リールの停止態様に基づいて特定リール以外のリールの停止態様に関わらず入賞が確定する特定小役が設定されており、
前記特定リールにおける図柄の表示位置として、複数の入賞判定ライン上の表示位置となる第１表示位置と、第１表示位置よりも少ない数の入賞判定ライン上の表示位置となる第２表示位置とが設けられており、
前記内部抽選手段が、
前記特定小役の当選態様が複数種類存在するように内部抽選を行い、
前記リール制御手段が、
前記特定小役の当選態様に応じて特定操作順序を設定し、特定操作順序で停止操作が行われると、前記特定小役の入賞形態を構成する図柄を前記第２表示位置に優先して前記第１表示位置に表示させるように前記特定リールの停止位置を決定し、特定操作順序とは異なる順序で停止操作が行われると、前記特定小役の入賞形態を構成する図柄を前記第１表示位置に優先して前記第２表示位置に表示させるように前記特定リールの停止位置を決定することを特徴とする遊技機。
【請求項５】
請求項４において、
前記特定小役の当選態様として、前記特定小役が他の小役と重複して当選し、前記特定小役と重複して当選する小役の種類および数の少なくとも一方が異なる第１当選態様と第２当選態様とを含み、
前記リール制御手段が、
内部抽選の結果が前記第１当選態様である場合には、第１操作順序で停止操作が行われると前記特定操作順序で停止操作が行われたと判断し、第２操作順序で停止操作が行われると前記特定操作順序と異なる順序で停止操作が行われたと判断し、
内部抽選の結果が前記第２当選態様である場合には、第２操作順序で停止操作が行われると前記特定操作順序で停止操作が行われたと判断し、第１操作順序で停止操作が行われると前記特定操作順序と異なる順序で停止操作が行われたと判断することを特徴とする遊技機。
【手続補正２】
【補正対象書類名】明細書
【補正対象項目名】発明の名称
【補正方法】変更
【補正の内容】
【発明の名称】遊技機